(57)【要約】      （修正有）【課題】オーロラのような幻想的な雰囲気を見せることができる陶磁器を含む工芸品を提供する。【解決手段】工芸品１０は、陶磁器１２および陶磁器に光を照射する発光色の異なる複数の発光ダイオードからなる光源１４を備える。また、工芸品は陶磁器の周囲を囲む透明の板体１６、光源が取り付けられる天板１８を備える。陶磁器の表面の絵や模様によって、光を吸収する光吸収領域２０と光を反射する光反射領域２２が形成されている。光源は時間によって発光する光の色が変化する。陶磁器に当てる光の色を時間によって変化させることで、陶磁器に描かれた絵や模様のグラデーション２４をオーロラのように見せることができる。【選択図】図１
0003206679.tif 000002
【実用新案登録請求の範囲】
【請求項１】
光を吸収する光吸収領域および光を反射する光反射領域が表面に設けられた陶器、磁器または半磁器を含む陶磁器と、
発光する光の色が時間によって変化し、前記陶磁器の表面に光を照射する光源と、
を備えた工芸品。
【請求項２】
前記光反射領域が、明度、彩度、色相の少なくとも１つを徐々に変化させたグラデーションを有する請求項１の工芸品。
【請求項３】
前記光源が発光色の異なる複数の発光ダイオードを備えた請求項１または２の工芸品。
【請求項４】
前記陶磁器の周囲に配置された透明の板体または筒体と、
前記透明の板体または筒体によって支えられ、前記陶磁器の上方に配置された天板と、
を備え、
前記天板に光源が取り付けられた請求項１から３のいずれかの工芸品。
【考案の詳細な説明】
【技術分野】
【０００１】
本考案は、展示したり壁等に使用したりする陶磁器を含む工芸品に関するものである。
【背景技術】
【０００２】
従来から陶器や磁器などの陶磁器と光源を組み合わせた工芸品が装飾品として販売されている。たとえば、下記の特許文献１は、陶磁器の容器に貫通穴を設け、光源の光が陶磁器の中から外部に漏れるようにしている。貫通穴の形状や数によって周囲に漏れる光の形状や数が異なり、幻想的な雰囲気を作ることができる。
【０００３】
しかし、幻想的な雰囲気の一つとして、オーロラも挙げられるが、特許文献１はオーロラのように見せるものではない。また、特許文献１は陶磁器の中に光源を入れる必要があり、壁などに適用することはできない。
【先行技術文献】
【特許文献】
【０００４】
【特許文献１】特開２００８−１２３９２３号公報
【考案の概要】
【考案が解決しようとする課題】
【０００５】
本考案の目的は、オーロラのような幻想的な雰囲気を見せることができる陶磁器を含む工芸品を提供することにある。
【課題を解決するための手段】
【０００６】
本考案の工芸品は、陶器、磁器または半磁器を含む陶磁器、および発光する光が時間によって変化する光源を備える。光源の光が陶磁器の表面に照射される。陶磁器の表面は、光を吸収する光吸収領域および光を反射する光反射領域が表面に設けられており、光反射領域で反射された光を視認できる。
【０００７】
光反射領域は、明度、彩度、色相の少なくとも１つを徐々に変化させたグラデーションを有する。反射された光がグラデーションになり、光の時間変化によってオーロラのように見える。
【０００８】
光源は発光色の異なる複数の発光ダイオードを備える。発光ダイオードに流れる電流が時間変化することで、光源の発光色が時間変化する。
【０００９】
陶磁器の周囲に配置された透明の板体または筒体、透明の板体または筒体によって支えられ、陶磁器の上方に配置された天板を備える。天板に光源が取り付けられる。
【考案の効果】
【００１０】
本考案は、陶磁器に照射する光の色が時間的に変化し、陶磁器の表面がグラデーションを有することで、陶磁器の表面に時間的に色が変化するオーロラを表現することができ、幻想的な雰囲気になる。
【図面の簡単な説明】
【００１１】
【図１】本考案の工芸品の斜視図である。
【図２】光源を示す図であり、（ａ）は光源の斜視図であり、（ｂ）は発光ダイオードに流れる電流の時間変化を示すグラフである。
【図３】円筒形の板体を使用した工芸品の斜視図である。
【図４】壁に板状の陶磁器を貼りつけた工芸品の斜視図である。
【考案を実施するための形態】
【００１２】
本考案の工芸品について図面を使用して説明する。
【００１３】
［実施形態１］
図１に示す本考案の工芸品１０は、陶磁器１２および陶磁器１２に光を照射する光源１４を備える。また、工芸品１０は陶磁器１２の周囲を囲む透明の板体１６、光源１４が取り付けられる天板１８を備える。
【００１４】
陶磁器１２は陶器、磁器または半磁器である。陶磁器１２は、土を練り固めて焼いて作られる。陶磁器１２の原料は、カオリン、木節粘土、蛙目粘土、ケイ石、長石などを混合させたものである。陶磁器１２の原料の割合は適宜選択する。焼成温度は、陶器が約１１００〜１２００℃、磁器が約１２５０〜１３５０℃、半磁器が約１２００〜１２５０℃である。
【００１５】
陶磁器１２の形状は、瓶形状、板形状、球形状、円筒形状、円錐形状など限定されない。また、動物や花などの動植物の形状であっても良い。
【００１６】
陶磁器１２の表面には絵や模様が描かれている。練り固められた土の表面に塗られた釉薬が焼成されることで絵、模様、背景になる。釉薬は鉄釉、緑釉、灰釉が挙げられる。
【００１７】
陶磁器１２の表面の絵、模様、背景によって、光を吸収する光吸収領域２０と光を反射する光反射領域２２が形成されている。光吸収領域２０は黒等の明度が低い部分であり、光反射領域２２は白等の明度が高い部分である。陶磁器１２は、明度の低い色を背景にして明度の高い色で絵や模様が描かれていたり、またはその反対である。
【００１８】
光反射領域２２は明度、彩度、色相の少なくとも1つを変化させたグラデーション２４を含んでいる。グラデーション２４によってオーロラを表現している。また、グラデーション２４の中に明度の低い色で絵や模様を描いても良い。グラデーション２４の中に絵や模様が浮き上がる。
【００１９】
陶磁器１２の表面に小さな凹凸がある場合、その凹凸によって、光反射領域２２の中に光を反射できない部分が生じる。光反射領域２２の中に小さな光吸収領域２０が形成されていても良い。また、その反対に光吸収領域２０の中に光反射領域２２が形成されていても良い。
【００２０】
図２（ａ）のように、光源１４として複数の発光ダイオードＬ１、Ｌ２、Ｌ３を備え、それぞれの発光ダイオードＬ１、Ｌ２、Ｌ３の発光色を異ならせる。たとえば、光の三原色である赤、緑、青の発光ダイオードＬ１、Ｌ２、Ｌ３を備え、時間の経過とともに発光する発光ダイオードＬ１、Ｌ２、Ｌ３を異ならせる。光源１４は時間によって発光する光の色が変化する。
【００２１】
また、図２（ｂ）に示すように、発光ダイオードＬ１、Ｌ２、Ｌ３に流れる電流を徐々に変化させながら、発光する発光ダイオードＬ１、Ｌ２、Ｌ３を変えていく。図２（ｂ）のように、２つの発光ダイオードが同時に発光する時間を作っても良い。２つの光の色を混色しながら、徐々に光源１４の色を変えていく。
【００２２】
図２（ｂ）はいずれの発光ダイオードＬ１、Ｌ２、Ｌ３も一定時間発光するが、発光する時間をランダムに変化させても良い。また、発光する発光ダイオードＬ１、Ｌ２、Ｌ３の順番もランダムに変化させても良い。
【００２３】
光源１４は、上記のように発光する光を変化させるためのＩＣ（Integrated Circuit）を備える。
【００２４】
光源１４は電池で駆動しても良いし、商用電源で駆動しても良い。商用電源駆動する場合、商用電源に接続するためのプラグを備える。天板に太陽電池を設置し、太陽電池で光源１４を駆動させても良い。
【００２５】
光反射領域２２の見え方は、光反射領域２２の色と照射される光の色によって決定される。上記のように、陶磁器１２に照射される光の色が時間によって変化するため、光反射領域２２で反射される光の色が時間によって変化する。光反射領域２２はグラデーション２４を含んでいるため、現実のオーロラのように色が変化する。
【００２６】
図１は４枚の板体１６を陶磁器１２の四方に配置し、4枚の板体１６で陶磁器１２を囲んでいる。板体１６は、透明のアクリルやガラスなどであり、陶磁器１２を視認することができる。
【００２７】
天板１８は板体１６によって支えられており、陶磁器１２の上方に配置されている。天板１８における陶磁器１２側に光源１４を取り付ける。陶磁器１２の上方から光を照射することができる。板体１６の上端付近に光を透過しないシール２６などを貼りつけ、外部から光源１４を見えなくしても良い。工芸品１０の意匠を損ないにくくする。
【００２８】
陶磁器１２を配置する底板を設けても良い。底板は透明であっても良いし、陶磁器１２の色彩等に合わせて、有色であっても良い。
【００２９】
本願は陶磁器１２に当てる光の色を時間によって変化させることで、陶磁器１２に描かれた絵や模様のグラデーション２４をオーロラのように見せることができる。幻想的な雰囲気を出すことができる。
【００３０】
［実施形態２］
陶磁器１２の四方を囲んだ透明の板体１６の形状は限定されない。たとえば、図３の工芸品３０のように、円筒形の筒体３２であっても良い。円筒形の筒体３２の中に陶磁器１２が配置される。円筒形の筒体３２の形状に合わせて円形の天板３４を使用している。筒体３２の上部付近を一周するテープ３６で光源１４を隠している。
【００３１】
［実施形態３］
光源１４を任意の位置に配置し、板体１６または筒体３２と天板１８、３４を設けない構成であっても良い。たとえば、光源１４を陶磁器１２の側方等に配置、陶磁器１２に光を照射する。
【００３２】
［実施形態４］
図４の工芸品４０のように、板状の陶磁器４２を壁に貼りつけ、光源４４で照らしても良い。壁４６の全体に陶磁器４２を貼りつけても良いし、壁４６の一部に陶磁器４２を貼りつけても良い。壁４６の最外層が陶磁器４２になっていても良い。複数枚の陶磁器４２を配列して、１枚の絵にしても良い。陶磁器４２は完全な板状ではなく、絵や模様に合わせて表面に凹凸を設けても良い。
【００３３】
陶磁器４２は、上記の実施形態と同様に、光吸収領域４８と光反射領域５０が有り、光反射領域５０にはグラデーション５２によって、オーロラを表現している。
【００３４】
図４の光源４４は陶磁器４２に対して斜め上方から光を照射するが、図４の構成に限定されない。光源４４の位置を適宜変更することで、斜め側方や斜め下方から光を照射しても良い。複数の光源４４を設置しても良い。光源４４ごとに発光する色を異ならせ、発光する光源４４を時間的に異ならせても良い。
【００３５】
［実施形態５］
光源１４、４４の光の色を変化させると同時に、光の輝度を変化させても良い。光の輝度の変化はランダムであっても良い。たとえば、図２の発光ダイオードＬ１、Ｌ２、Ｌ３に流れる電流をランダムに変化させる。光の色が変化すると同時に輝度も変化するため、より現実のオーロラに見せることができる。
【００３６】
［実施形態６］
陶磁器１２、４２の絵や模様の中にグラデーション２４、５２を入れることに限定されない。明度や彩度を変化させたモザイクであっても良い。不規則に並べられたモザイクの明度や彩度を徐々に変化させても良い。
【００３７】
その他、本考案は、その主旨を逸脱しない範囲で当業者の知識に基づき種々の改良、修正、変更を加えた態様で実施できるものである。
【符号の説明】
【００３８】
１０、３０、４０：工芸品
１２、４２：陶磁器
１４、４４：光源
１６：透明の板体
１８、３４：天板
２０、４８：光吸収領域
２２、５０：光反射領域
２４、５２：グラデーション
２６、３６：シール
３２：透明の筒体
４６：壁
【図１】
0003206679.tif 000003
【図２】
0003206679.tif 000004
【図３】
0003206679.tif 000005
【図４】
0003206679.tif 000006